(57)【要約】【課題】被保護者の関心を得やすい贈り物の候補を紹介する情報をその親戚に提供すること。【解決手段】保護者特定部２０１は、贈り物の贈り手である親戚から紹介情報が要求されると、贈り物の貰い手となる子供の保護者を特定する。保護者関連情報取得部２０３は、特定された保護者の購入履歴を保護者関連情報として取得する。被保護者履歴抽出部２０４は、取得された保護者の購入履歴から、被保護者のための購入を表す購入履歴を抽出する。興味分野特定部２０５は、抽出された購入履歴に基づいて被保護者の興味分野を特定する。贈り物候補決定部２０６は、特定された被保護者の興味分野に関連する贈り物の候補を決定する。紹介情報生成部２０７は、決定された贈り物候補を紹介する紹介情報を生成する。紹介情報出力部２０８は、生成された紹介情報をユーザ端末３０に対して出力する。【選択図】図４
2018097584.tif 000002
【特許請求の範囲】
【請求項１】
保護者に関する関連情報を取得する取得部と、
取得された前記関連情報に基づいて、前記保護者により保護されている被保護者が関心を持つ対象を特定する特定部と、
前記被保護者の親戚に対応する宛先に対して、特定された前記対象に関連する贈り物の候補を紹介する紹介情報を出力する出力部と
を備える情報処理装置。
【請求項２】
前記取得部は、前記保護者の購入履歴を前記関連情報として取得し、
前記特定部は、取得された前記関連情報が示す購入履歴のうち前記被保護者のための購入を表す購入履歴に基づいて前記対象を特定する
請求項１に記載の情報処理装置。
【請求項３】
前記出力部は、特定された前記対象に関連する贈り物の候補のうち、前記被保護者のための購入が行われた時期から前記贈り物を前記被保護者に贈る時期までに経過する期間に応じて異なる候補を紹介する情報を前記紹介情報として出力する
請求項１又は２に記載の情報処理装置。
【請求項４】
前記取得部は、前記保護者が所持する可搬型の端末の位置情報を前記関連情報として取得し、
前記特定部は、取得された前記関連情報が示す前記端末の位置によって示される前記被保護者が訪れた施設に基づいて前記対象を特定する
請求項１から３のいずれか１項に記載の情報処理装置。
【請求項５】
前記取得部は、前記親戚が前記保護者に会う頻度を示す情報を前記関連情報として取得し、
前記出力部は、取得された前記関連情報が示す頻度に応じた価格帯の商品又はサービスに関する情報を前記紹介情報として出力する
請求項１から４のいずれか１項に記載の情報処理装置。
【請求項６】
前記取得部は、前記保護者の居住地と前記親戚の居住地との距離を示す情報を前記親戚が前記保護者に会う頻度を示す情報として取得する
請求項５に記載の情報処理装置。
【請求項７】
前記出力部は、取得された前記関連情報が示す頻度に応じたタイミングで前記紹介情報を出力する
請求項５に記載の情報処理装置。
【請求項８】
前記親戚の資産規模を示す規模情報を取得する規模情報取得部を備え、
前記出力部は、取得された前記規模情報が示す資産規模に応じた価格帯の商品又はサービスに関する情報を前記紹介情報として出力する
請求項１から７のいずれか１項に記載の情報処理装置。
【請求項９】
前記取得部は、前記保護者の購入履歴を前記関連情報として取得し、
前記出力部は、取得された前記関連情報が示す前記保護者の経済力に応じた価格帯の商品又はサービスに関する情報を前記紹介情報として出力する
請求項１から８のいずれか１項に記載の情報処理装置。
【請求項１０】
前記取得部は、前記保護者の商品又はサービスの購入履歴を前記関連情報として取得し、
前記出力部は、特定された前記対象に関連する商品又はサービスが、取得された前記関連情報によって示される前記被保護者のために購入された商品又はサービスに含まれている場合、当該商品又はサービスを除く前記贈り物の候補を紹介する情報を前記紹介情報として出力する
請求項１から９のいずれか１項に記載の情報処理装置。
【発明の詳細な説明】
【技術分野】
【０００１】
本発明は、ユーザに有用な情報を提供する技術に関する。
【背景技術】
【０００２】
ユーザに有用な情報を提供する技術がある。例えば特許文献１には、ユーザの商品購入履歴、ユーザの現在位置及び商品の特売情報からそのユーザが興味を持ちそうで且つ提供場所が近い商品の情報をユーザ端末に配信する技術が開示されている。
【先行技術文献】
【特許文献】
【０００３】
【特許文献１】特開２００３−６５１２号公報
【発明の概要】
【発明が解決しようとする課題】
【０００４】
親戚の子供に対して贈る贈り物に関する情報をその贈り手（祖父母、叔父及び叔母等）に提供しようとする場合に、子供のような被保護者はクレジットカード等を持っておらず購買履歴が存在しないことが多いため、特許文献１の技術では、保護者の関心は分かっても贈り物の貰い手である子供が何に対して関心を持つかが分からず、贈り手に有用な情報を提供することができない。
そこで、本発明は、被保護者の関心を得やすい贈り物の候補を紹介する情報をその親戚に提供することを目的とする。
【課題を解決するための手段】
【０００５】
上記目的を達成するために、本発明は、保護者に関する関連情報を取得する取得部と、取得された前記関連情報に基づいて、前記保護者により保護されている被保護者が関心を持つ対象を特定する特定部と、前記被保護者の親戚に対応する宛先に対して、特定された前記対象に関連する贈り物の候補を紹介する紹介情報を出力する出力部とを備える情報処理装置を提供する。
【０００６】
また、前記取得部は、前記保護者の購入履歴を前記関連情報として取得し、前記特定部は、取得された前記関連情報が示す購入履歴のうち前記被保護者のための購入を表す購入履歴に基づいて前記対象を特定してもよい。
さらに、前記出力部は、特定された前記対象に関連する贈り物の候補のうち、前記被保護者のための購入が行われた時期から前記贈り物を前記被保護者に贈る時期までに経過する期間に応じて異なる候補を紹介する情報を前記紹介情報として出力してもよい。
【０００７】
また、前記取得部は、前記保護者が所持する可搬型の端末の位置情報を前記関連情報として取得し、前記特定部は、取得された前記関連情報が示す前記端末の位置によって示される前記被保護者が訪れた施設に基づいて前記対象を特定してもよい。
さらに、前記取得部は、前記親戚が前記保護者に会う頻度を示す情報を前記関連情報として取得し、前記出力部は、取得された前記関連情報が示す頻度に応じた価格帯の商品又はサービスに関する情報を前記紹介情報として出力してもよい。
【０００８】
また、前記取得部は、前記保護者の居住地と前記親戚の居住地との距離を示す情報を前記親戚が前記保護者に会う頻度を示す情報として取得してもよい。
さらに、前記取得部は、前記保護者の居住地と前記親戚の居住地との距離を示す情報を前記親戚が前記保護者に会う頻度を示す情報として取得してもよい。
【０００９】
また、前記親戚の資産規模を示す規模情報を取得する規模情報取得部を備え、前記出力部は、取得された前記規模情報が示す資産規模に応じた価格帯の商品又はサービスに関する情報を前記紹介情報として出力してもよい。
さらに、前記取得部は、前記保護者の購入履歴を前記関連情報として取得し、前記出力部は、取得された前記関連情報が示す前記保護者の経済力に応じた価格帯の商品又はサービスに関する情報を前記紹介情報として出力してもよい。
【００１０】
また、前記取得部は、前記保護者の商品又はサービスの購入履歴を前記関連情報として取得し、前記出力部は、特定された前記対象に関連する商品又はサービスが、取得された前記関連情報によって示される前記被保護者のために購入された商品又はサービスに含まれている場合、当該商品又はサービスを除く前記贈り物の候補を紹介する情報を前記紹介情報として出力してもよい。
【発明の効果】
【００１１】
本発明によれば、被保護者の関心を得やすい贈り物の候補を紹介する情報をその親戚に提供することができる。
【図面の簡単な説明】
【００１２】
【図１】第１実施例に係る贈り物情報紹介システムの全体構成を表す図
【図２】購入履歴蓄積装置及び紹介情報サーバ装置のハードウェア構成を表す図
【図３】ユーザ端末のハードウェア構成を表す図
【図４】贈り物情報紹介システムが実現する機能構成を表す図
【図５】蓄積された購入履歴の一例を表す図
【図６】表示された贈り物検討画面の一例を表す図
【図７】記憶された親戚関係情報の一例を表す図
【図８】貰い手の名前の選択用画面の一例を表す図
【図９】商品名キーワードの一例を表す図
【図１０】興味分野テーブルの一例を表す図
【図１１】贈り物候補テーブルの一例を表す図
【図１２】表示された紹介情報の一例を表す図
【図１３】紹介処理における各装置の動作手順の一例を表す図
【図１４】第２実施例で表示された贈り物検討画面の一例を表す図
【図１５】抽出された被保護者の購入履歴の一例を表す図
【図１６】対象年齢データの一例を表す図
【図１７】第３実施例の贈り物情報紹介システムが実現する機能構成を表す図
【図１８】施設テーブルの一例を表す図
【図１９】第３実施例の興味分野テーブルの一例を表す図
【図２０】第４実施例の贈り物情報紹介システムが実現する機能構成を表す図
【図２１】対面頻度テーブルの一例を表す図
【図２２】価格帯テーブルの一例を表す図
【図２３】紹介タイミングテーブルの一例を表す図
【図２４】変形例の贈り物情報紹介システムが実現する機能構成を表す図
【図２５】変形例の価格帯テーブルの一例を表す図
【図２６】変形例の贈り物情報紹介システムが実現する機能構成を表す図
【図２７】経済力テーブルの一例を表す図
【図２８】変形例の価格帯テーブルの一例を表す図
【図２９】変形例の贈り物情報紹介システムが実現する機能構成を表す図
【発明を実施するための形態】
【００１３】
［１］第１実施例
図１は第１実施例に係る贈り物情報紹介システム１の全体構成を表す。孫、甥及び姪等の生計が自立していない子供に対して、その子供の親戚である祖父、祖母、叔父及び叔母等が贈り物を贈ることがある。贈り物の贈り手は、様々な商品、様々なサービス、自分が持っている物及び手作りの物等のうちから、貰い手である子供が関心を持ってくれるものを贈りたいと考えるものである。
【００１４】
しかし、子供は、保護者である親（実親又は養親）と一緒に住むことは普通であるが、親戚とは一緒に住んでいない場合が多い。そのため、贈り手である親戚は、貰い手である子供が関心を持つ贈り物が何かを知る機会が少ない。また、子供本人及び保護者である親とは連絡を取りづらいという親戚もいれば、本人達に聞かないで贈り物を贈って驚かせたいという親戚もいる。
【００１５】
贈り物情報紹介システム１は、このような親戚に対して、貰い手である子供が関心を持ちそうな贈り物の候補を紹介するシステムであり、言い換えると、貰い手である子供が関心を持ちそうな贈り物を親戚にリコメンドするシステムである。贈り物情報紹介システム１は、ネットワーク２と、購入履歴蓄積装置１０と、紹介情報サーバ装置２０と、ユーザ端末３０とを備える。
【００１６】
ネットワーク２は、移動体通信網及びインターネット等を含む通信システムであり、自システムにアクセスする装置同士のデータのやり取りを仲介する。ネットワーク２には、購入履歴蓄積装置１０及び紹介情報サーバ装置２０が有線通信でアクセスしており、ユーザ端末３０が無線通信でアクセスしている。なお、ネットワーク２とのアクセスは有線通信及び無線通信のどちらでもよい。
【００１７】
贈り物情報紹介システム１においては、本実施例では、２通りのユーザが登録されている。保護者として登録される保護者ユーザと、贈り物の贈り手である親戚として登録される親戚ユーザである。もちろん、保護者の中にも、自分の親戚の子供に贈り物を贈る贈り手にもなるユーザもいるが、そのようなユーザは、保護者ユーザと親戚ユーザの両方で登録されるものとする。以下では、単に「保護者」と言った場合は登録された保護者ユーザを指し、単に「親戚」又は「贈り手」と言った場合は登録された親戚ユーザを指すものとする。
【００１８】
購入履歴蓄積装置１０は、保護者の購入履歴を蓄積する装置である。購入履歴蓄積装置１０は、例えば図示せぬ電子決済システムから保護者の購入履歴を取得して蓄積する。保護者の購入履歴には、被保護者である子供のために商品又はサービス（例えばおもちゃ又は映画のチケット等）を購入したときの履歴が含まれている。そのため、保護者の購入履歴は、子供が関心を持つ対象を表すことになる。
【００１９】
紹介情報サーバ装置２０は、贈り物の候補を紹介する紹介情報を出力する装置である。紹介情報サーバ装置２０は本発明の「情報処理装置」の一例である。紹介情報サーバ装置２０は、本実施例では、購入履歴蓄積装置１０が蓄積する保護者の購入履歴を取得して、取得した購入履歴に基づき、その保護者が保護する子供が関心を持ちそうな贈り物の候補を紹介する紹介情報を生成する。
【００２０】
ユーザ端末３０は、本実施例では、親戚（贈り物の贈り手として登録されたユーザ）が利用する端末装置であり、例えばスマートフォンである。この親戚は、ユーザ端末３０に対して上記の紹介情報を要求する操作を行う。ユーザ端末３０は、紹介情報を紹介情報サーバ装置２０に要求し、紹介情報サーバ装置２０は、要求された紹介情報を生成して要求元のユーザ端末３０に対して出力する。ユーザ端末３０は、出力されてきた紹介情報を表示する。上記の親戚は、表示された紹介情報を参考にして贈り物を用意することができる。
【００２１】
図２は購入履歴蓄積装置１０及び紹介情報サーバ装置２０のハードウェア構成を表す。両装置は、いずれも、プロセッサ１１と、メモリ１２と、ストレージ１３と、通信装置１４と、入力装置１５と、出力装置１６と、バス１７という各装置を備えるコンピュータである。なお、ここでいう「装置」という文言は、回路、デバイス及びユニット等に読み替えることができる。また、各装置は、１つ又は複数含まれていてもよいし、一部の装置が含まれていなくてもよい。
【００２２】
プロセッサ１１は、例えば、オペレーティングシステムを動作させてコンピュータ全体を制御する。プロセッサ１１は、周辺装置とのインターフェース、制御装置、演算装置、レジスタなどを含む中央処理装置（ＣＰＵ：Central Processing Unit）で構成されてもよい。また、プロセッサ１１は、プログラム（プログラムコード）、ソフトウェアモジュール及びデータ等を、ストレージ１３及び／又は通信装置１４からメモリ１２に読み出し、これらに従って各種の処理を実行する。
【００２３】
各種処理を実行するプロセッサ１１は１つでもよいし、２以上であってもよく、２以上のプロセッサ１１は、同時又は逐次に各種処理を実行してもよい。また、プロセッサ１１は、１以上のチップで実装されてもよい。プログラムは、電気通信回線を介してネットワークから送信されても良い。
【００２４】
メモリ１２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）及びＲＡＭ（Random Access Memory）等の少なくとも１つで構成されてもよい。メモリ１２は、レジスタ、キャッシュ及びメインメモリ（主記憶装置）等と呼ばれてもよい。メモリ１２は、前述したプログラム（プログラムコード）、ソフトウェアモジュール及びデータ等を保存することができる。
【００２５】
ストレージ１３は、コンピュータが読み取り可能な記録媒体であり、例えば、ＣＤ−ＲＯＭ（Compact Disc ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１３は、補助記憶装置と呼ばれてもよい。上述の記憶媒体は、例えば、メモリ１２及び／又はストレージ１３を含むデータベース、サーバその他の適切な媒体であってもよい。
【００２６】
通信装置１４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。入力装置１５は、外部からの入力を受け付ける入力デバイス（例えば、キーボード、マウス、マイクロフォン、スイッチ、ボタン、センサなど）である。
【００２７】
出力装置１６は、外部への出力を実施する出力デバイス（例えば、ディスプレイ、スピーカー、ＬＥＤランプなど）である。なお、入力装置１５及び出力装置１６は、一体となった構成（例えば、タッチスクリーン）であってもよい。また、プロセッサ１１及びメモリ１２等の各装置は、情報を通信するためのバス１７を介して互いにアクセス可能となっている。バス１７は、単一のバスで構成されてもよいし、装置間で異なるバスで構成されてもよい。
【００２８】
また、購入履歴蓄積装置１０及び紹介情報サーバ装置２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、及び、ＦＰＧＡ（Field Programmable Gate Array）等のハードウェアを含んで構成されてもよく、当該ハードウェアにより、各機能ブロックの一部又は全てが実現されてもよい。例えば、プロセッサ１１は、これらのハードウェアの少なくとも１つで実装されてもよい。
【００２９】
図３はユーザ端末３０のハードウェア構成を表す。ユーザ端末３０は、プロセッサ３１と、メモリ３２と、ストレージ３３と、通信装置３４と、入力装置３５と、出力装置３６と、測位装置３７と、バス３８という各装置を備えるコンピュータである。プロセッサ３１から出力装置３６及びバス３８は、図２に表す同名の各装置と共通するハードウェアである。測位装置３７は、ＧＰＳ（Global Positioning System）衛星からの信号を用いて自身の位置を測定するセンサを有し、測定した位置を緯度及び経度で表す位置データをプロセッサ３１に供給する。
【００３０】
贈り物情報紹介システム１が備える各装置のプロセッサがプログラムを実行して各部を制御することで、以下に述べる機能が実現される。
図４は贈り物情報紹介システム１が実現する機能構成を表す。購入履歴蓄積装置１０は、購入履歴取得部１０１と、購入履歴蓄積部１０２とを備える。紹介情報サーバ装置２０は、保護者特定部２０１と、親戚関係記憶部２０２と、保護者関連情報取得部２０３と、被保護者履歴抽出部２０４と、興味分野特定部２０５と、贈り物候補決定部２０６と、紹介情報生成部２０７と、紹介情報出力部２０８とを備える。ユーザ端末３０は、紹介要求操作受付部３０１と、紹介情報表示部３０２とを備える。
【００３１】
購入履歴蓄積装置１０の購入履歴取得部１０１は、図示せぬ電子決済システム等から保護者の購入履歴を取得する。購入履歴取得部１０１は、取得した購入履歴を購入履歴蓄積部１０２に供給する。購入履歴蓄積部１０２は、取得された保護者の購入履歴を蓄積する。
図５は蓄積された購入履歴の一例を表す。購入履歴蓄積部１０２は、ユーザＩＤ、商品ＩＤ、商品名及び購入日時を対応付けて蓄積している。
【００３２】
図５の例では、「Ｕ００１」というユーザＩＤの保護者が、「シャンプー」、「お茶」、「キャラクターαのおまけ付きおやつ」、「化粧品」及び「サッカーボール」を購入した履歴が蓄積されている。また、図５では図示を省いているが、購入履歴蓄積部１０２は、「Ｕ００２」というユーザＩＤ及びその他のユーザＩＤについても購入履歴を蓄積しているものとする。
【００３３】
ユーザ端末３０の紹介要求操作受付部３０１は、紹介情報を要求する紹介要求操作を受け付ける。この紹介要求操作は、例えばユーザ端末３０が被保護者への贈り物を検討する画面を表示させた状態で行われる。
図６は表示された贈り物検討画面の一例を表す。図６の例では、ユーザ端末３０が、「親戚のお子さんへの贈り物を検討しますか？」という文字列（上述した贈り物の贈り手である親戚にとっては、贈り物の貰い手である子供は当然ながら親戚である）と、はいボタンＢ１と、いいえボタンとを含む贈り物検討画面を出力装置３６に表示している。
【００３４】
この贈り物検討画面は、ユーザ端末３０に導入されたアプリの機能で表示されてもよいし、例えば紹介情報サーバ装置２０がウェブサーバの機能を有していてウェブページとして提供されてもよい。ユーザ端末３０には、自端末を利用する親戚（贈り物の贈り手となるユーザ）のユーザＩＤが予め記憶されている。紹介要求操作受付部３０１は、はいボタンＢ１を選択する操作を紹介要求操作として受け付けると、記憶されているユーザＩＤを読み出して、読み出したユーザＩＤと紹介情報の要求とを示す要求データを紹介情報サーバ装置２０に送信する。
【００３５】
紹介情報サーバ装置２０の保護者特定部２０１は、ユーザ端末３０から送信されてきた要求データを受け取ると、その要求データが示す要求を行ったユーザＩＤに基づいて、贈り物の貰い手となる子供の保護者を特定する。保護者特定部２０１は、親戚関係記憶部２０２に記憶されている情報を用いてこの特定を行う。
【００３６】
紹介情報サーバ装置２０の親戚関係記憶部２０２は、登録されているユーザ（保護者及び親戚）の親戚関係を示す親戚関係情報を記憶する。
図７は記憶された親戚関係情報の一例を表す。図７の例では、親戚関係記憶部２０２が、親戚ユーザＩＤ（親戚のユーザＩＤ）と、保護者ユーザＩＤ（保護者のユーザＩＤ）と、被保護者名前と、親戚との関係（孫、甥及び姪等）とを対応付けて記憶している。例えば「Ａさん」の親戚ユーザＩＤである「Ｕ１０１」には、「Ｕ００１」（父）及び「Ｕ００２」（母）という保護者ユーザＩＤと、「太一くん」という被保護者の名前と、「孫」という親戚の関係とが対応付けられている。
【００３７】
また、「Ａさん」の「Ｕ１０１」には、別の保護者ユーザＩＤである「Ｕ００７」（父）及び「Ｕ００８」（母）と、「すみれちゃん」という被保護者の名前と、「孫」という親戚の関係も対応付けられている。また、「Ｂさん」の親戚ユーザＩＤである「Ｕ１０２」には、「Ｕ０１９」（父）及び「Ｕ０２０」（母）という保護者ユーザＩＤと、「渉くん、拓実くん」という被保護者の名前と、「甥、甥」という親戚の関係とが対応付けられている。これらの親戚関係情報は、本実施例では、ユーザ（保護者又は親戚）によって予め登録されているものとする。
【００３８】
保護者特定部２０１は、受け取った要求データが示すユーザＩＤ（贈り物の贈り手である親戚のユーザＩＤ）に対応付けて親戚関係記憶部２０２が記憶している保護者ユーザＩＤを読み出し、読み出したユーザＩＤが示す保護者を贈り物の貰い手の保護者として特定する。例えば親戚ユーザＩＤが「Ｕ１０１」である場合、図７に表す親戚関係情報では「Ｕ００１」、「Ｕ００２」、「Ｕ００７」、「Ｕ００８」という２組の保護者の保護者ユーザＩＤが対応付けられている。この場合に、本実施例では、保護者特定部２０１は保護者の絞り込みを行う。
【００３９】
保護者特定部２０１は、両保護者ユーザＩＤに対応付けられた被保護者の名前を親戚関係記憶部２０２から読み出し、読み出した被保護者の名前と、名前の選択の要求とを示す要求データをユーザ端末３０に送信する。ユーザ端末３０は、受け取った要求データが示す名前を用いて、贈り物の貰い手の選択用画面を表示する。
図８は貰い手の名前の選択用画面の一例を表す。図８の例では、ユーザ端末３０は、「贈り物を贈るのはどのお子さんですか？」という文字列と、「太一くん」を示すボタンＢ２と、「すみれちゃん」を示すボタンＢ３とを表示している。
【００４０】
紹介要求操作受付部３０１は、いずれかのボタンを選択する操作を要求操作として受け付け、自端末を利用する親戚（つまり贈り手）のユーザＩＤと選択されたボタンに対応する貰い手の名前と紹介情報の要求とを示す要求データを紹介情報サーバ装置２０に送信する。保護者特定部２０１は、受け取った要求データが示す贈り手のユーザＩＤ及び貰い手の名前に対応付けて親戚関係記憶部２０２が記憶している保護者ユーザＩＤを読み出し、読み出したユーザＩＤが示す保護者を、贈り物の貰い手となる被保護者の保護者として特定する。保護者特定部２０１は、特定した保護者のユーザＩＤを保護者関連情報取得部２０３に供給する。
【００４１】
保護者関連情報取得部２０３は、保護者特定部２０１により特定された保護者に関する情報である保護者関連情報を取得する。保護者関連情報取得部２０３は本発明の「取得部」の一例である。保護者関連情報取得部２０３は、本実施例では、保護者の購入履歴を保護者関連情報として取得する。保護者関連情報取得部２０３は、保護者特定部２０１から保護者のユーザＩＤが供給されると、そのユーザＩＤと、そのユーザＩＤに対応付けられた購入履歴の要求とを示す要求データを購入履歴蓄積装置１０に送信する。
【００４２】
購入履歴蓄積装置１０の購入履歴蓄積部１０２は、送信されてきた要求データを受け取ると、その要求データが示すユーザＩＤに対応付けて蓄積している購入履歴を読み出して、要求元の紹介情報サーバ装置２０に送信する。例えば図７に表す「Ｕ００１」、「Ｕ００２」が保護者のユーザＩＤである場合、購入履歴蓄積部１０２は、図５に表す「Ｕ００１」、「Ｕ００２」に対応付けられた商品ＩＤ、商品名及び購入日時を保護者の購入履歴として読み出して紹介情報サーバ装置２０に送信する。保護者関連情報取得部２０３は、送信されてきた購入履歴を保護者関連情報として取得し、被保護者履歴抽出部２０４に供給する。
【００４３】
被保護者履歴抽出部２０４は、保護者関連情報取得部２０３により取得された保護者の購入履歴から、被保護者のための購入を表す購入履歴を抽出する。被保護者履歴抽出部２０４は、例えば、子供向けの商品の商品名に含まれるキーワードリストを用いてこの抽出を行う。
図９は商品名キーワードの一例を表す。図９の例では、「α」、「β」及び「γ」等のキャラクター名と、「積み木」、「トランプ」及び「パズル」等のおもちゃ名称と、「ピアノ、オルガン、キーボード、・・」、「水泳、水着、浮き輪、・・」及び「野球、グローブ、野球ボール、・・」等の習い事・チーム活動関連名称とを含む商品名キーワードリストが表されている。
【００４４】
被保護者履歴抽出部２０４は、例えば図５に表す「Ｕ００１」に対応付けられた商品名を含む購入履歴が保護者関連情報として取得された場合、商品名キーワードリストに含まれるキーワードを含む「キャラクターαのおまけ付きおやつ」及び「野球ボール」を被保護者の購入履歴として抽出する。被保護者履歴抽出部２０４は、抽出した被保護者の購入履歴を興味分野特定部２０５に供給する。
【００４５】
興味分野特定部２０５は、保護者関連情報取得部２０３により取得された保護者関連情報に基づいて、その保護者関連情報が関連する保護者により保護されている被保護者の興味分野を特定する。ここでいう興味分野、すなわち被保護者が興味を持つ分野は、被保護者が関心を持つ対象の１つである。つまり、興味分野特定部２０５は、被保護者が関心を持つ対象を特定する機能でもあり、本発明の「特定部」の一例である。
【００４６】
興味分野特定部２０５は、本実施例では、保護者関連情報のうち被保護者履歴抽出部２０４により抽出された購入履歴（被保護者のための購入を表す購入履歴）に基づいて興味分野を特定する。興味分野特定部２０５は、例えば、商品名に含まれる興味分野キーワードと興味分野とを対応付けた興味分野テーブルを用いてこの特定を行う。
【００４７】
図１０は興味分野テーブルの一例を表す。図１０の例では、「α」、「β」及び「γ」という興味分野キーワードに、それぞれ「キャラクターα・αが登場する絵本」、「キャラクターβ・βが登場するゲーム」及び「キャラクターγ・γが登場するアニメ」という興味分野が対応付けられている。また、「積み木」、「トランプ」及び「パズル」という興味分野キーワードに「ブロックおもちゃ」、「カードゲーム」及び「パズル・知育玩具」という興味分野が対応付けられ、「ピアノ、オルガン、キーボード、・・」、「水泳、水着、浮き輪、・・」及び「野球、グローブ、野球ボール、・・」という興味分野キーワードに「鍵楽器」、「水泳・海水浴」及び「野球」という興味分野が対応付けられている。
【００４８】
興味分野特定部２０５は、例えば前述した「キャラクターαのおまけ付きおやつ」及び「野球ボール」が被保護者の購入履歴として抽出された場合、興味分野テーブルで「α」に対応付けられた「キャラクターα・αが登場する絵本」という興味分野と、「野球、グローブ、野球ボール、・・」に対応付けられた「野球」という興味分野を、被保護者の興味分野として特定する。
【００４９】
興味分野特定部２０５は、上記の例では興味分野キーワードが１つでもあればそれに対応する興味分野を特定したが、これに限らず、興味分野キーワードが閾値以上ある場合にそれに対応する興味分野を特定してもよい。この閾値としては、興味分野キーワード毎に適した値が定められるとよい。例えば関連商品に安価なものが多く購入頻度が高くなりやすいものについては閾値を大きくし、反対に関連商品に高価なものが多く購入頻度が低くなりやすいものについては閾値を小さくする。興味分野特定部２０５は、こうして特定した興味分野を贈り物候補決定部２０６に供給する。
【００５０】
贈り物候補決定部２０６は、興味分野特定部２０５により特定された被保護者の興味分野に関連する贈り物の候補を決定する。贈り物候補決定部２０６は、例えば、興味分野と贈り物候補とを対応付けた贈り物候補テーブルを用いてこの決定を行う。
図１１は贈り物候補テーブルの一例を表す。図１１の例では、「キャラクターα・αが登場する絵本」、「キャラクターβ・βが登場するゲーム」及び「キャラクターγ・γが登場するアニメ」という興味分野にそれぞれ「αのぬいぐるみ、αの絵本シリーズ、αの遊園地のチケット、・・」、「βのぬいぐるみ、βのゲーム及びゲーム機、βの映画のチケット、・・」及び「γの筆箱、γのアニメのＤＶＤセット、γの映画のチケット、・・」という商品及びサービスが贈り物候補として対応付けられている。
【００５１】
また、「ブロックおもちゃ」、「カードゲーム」及び「パズル・知育玩具」という興味分野に「組立おもちゃ、木製積み木、・・」、「トランプ、ウノ、・・」及び「立体パズル、３Ｄ迷路、・・」という贈り物候補が対応付けられ、「鍵楽器」、「水泳・海水浴」及び「野球」という興味分野に「マイクロピアノ、電子キーボード、ピアノコンサートのチケット、・・」、「水泳キャップ、ゴーグル、プールの入場券、・・」及び「子供用グルーブ、軟式ボール、野球の試合のチケット、・・」という商品及びサービスが贈り物候補として対応付けられている。
【００５２】
贈り物候補決定部２０６は、例えば前述した「キャラクターα・αが登場する絵本」及び「野球」という興味分野が特定された場合、贈り物候補テーブルにおいてこれらに対応付けられている「αのぬいぐるみ、αの絵本シリーズ、αの遊園地のチケット、・・」及び「子供用グルーブ、軟式ボール、野球の試合のチケット、・・」という商品又はサービスを、贈り物候補を特定する。
【００５３】
なお、贈り物候補決定部２０６は、これ以外の方法で贈り物候補を特定してもよい。贈り物候補決定部２０６は、例えば、特定した興味分野を通信販売サイトの商品検索キーワードとして入力した場合の検索結果における上位の決められた個数の商品を贈り物候補として特定してもよい。贈り物候補決定部２０６は、こうして特定した贈り物候補を紹介情報生成部２０７に供給する。
【００５４】
紹介情報生成部２０７は、贈り物候補決定部２０６により決定された贈り物候補を紹介する紹介情報を生成する。紹介情報生成部２０７は、例えば、贈り物の貰い手である子供の名前と、贈り物候補の名称・画像・価格と、贈り物候補を販売している通信販売サイトのＵＲＬとを含む情報を紹介情報として生成する。紹介情報生成部２０７は、例えば、保護者特定部２０１が保護者を特定する際に親戚関係記憶部２０２から読み出した貰い手の子供の名前を供給してもらう。
【００５５】
また、紹介情報生成部２０７は、贈り物候補の画像及び価格を、通信販売サイトに要求して取得してもよいし、通信販売サイトで贈り物候補を表示させたページをキャプチャして取得してもよい（いずれの場合も、贈り物情報紹介システム１の運営事業者は通信販売サイトの運営事業者の承諾を得ておくものとする）。紹介情報生成部２０７は、生成した紹介情報を紹介情報出力部２０８に供給する。
【００５６】
紹介情報出力部２０８は、紹介情報生成部２０７により生成された紹介情報を、被保護者の親戚に対応する宛先に対して出力する。紹介情報出力部２０８は本発明の「出力部」の一例である。本実施例では、ユーザ端末３０から送信されてきた要求データを受け取った保護者特定部２０１が、その要求データの送信元の宛先（ＩＰ（Internet Protocol）アドレス等）を紹介情報出力部２０８に供給する。この宛先は、被保護者である子供に贈り物を贈ることを検討している贈り手（被保護者の親戚）が利用するユーザ端末３０への宛先、すなわち被保護者の親戚に対応する宛先である。紹介情報出力部２０８は、供給されたこの宛先に対して紹介情報を出力する。
【００５７】
ユーザ端末３０の紹介情報表示部３０２は、紹介情報サーバ装置２０から出力されてきた紹介情報を受け取ると、その紹介情報を自端末の表示手段（出力装置３６）に表示する。
図１２は表示された紹介情報の一例を表す。図１２の例では、紹介情報表示部３０２は、「太一くんへの贈り物は以下のものでいかがですか？」という文字列と、「子供用グローブ」及び「軟式ボール」の商品写真、商品名、価格、通販サイトのＵＲＬとを出力装置３６に表示している。
【００５８】
贈り物情報紹介システム１が備える各装置は、上記の構成に基づいて、紹介情報を出力し及び表示する紹介処理を行う。
図１３は紹介処理における各装置の動作手順の一例を表す。この動作手順は、ユーザ端末３０を利用する親戚，すなわち被保護者の親戚が紹介情報を要求する要求操作を行うことを契機に開始される。
【００５９】
まず、ユーザ端末３０（紹介要求操作受付部３０１）が、紹介情報を要求する紹介要求操作を受け付けて（ステップＳ１１）、その要求を示す要求データを送信する（ステップＳ１２）。紹介情報サーバ装置２０（保護者特定部２０１）は、送信されてきた要求データを受け取ると、贈り物の貰い手となる子供の保護者を特定する（ステップＳ１３）。次に、紹介情報サーバ装置２０（保護者関連情報取得部２０３）は、特定された保護者に関する情報である保護者関連情報を要求する要求データを購入履歴蓄積装置１０に送信する（ステップＳ１４）。
【００６０】
購入履歴蓄積装置１０（購入履歴蓄積部１０２）は、送信されてきた要求データを受け取ると、要求された保護者について蓄積している購入履歴を読み出して（ステップＳ１５）、要求元の紹介情報サーバ装置２０に送信する（ステップＳ１６）。紹介情報サーバ装置２０（保護者関連情報取得部２０３）は、送信されてきた購入履歴を保護者関連情報として取得する（ステップＳ１７）。次に、紹介情報サーバ装置２０（被保護者履歴抽出部２０４）は、取得された保護者の購入履歴から、被保護者のための購入を表す購入履歴を抽出する（ステップＳ１８）。続いて、紹介情報サーバ装置２０（興味分野特定部２０５）は、取得された保護者関連情報に基づいて、贈り物の貰い手である被保護者の興味分野を特定する（ステップＳ１９）。
【００６１】
次に、紹介情報サーバ装置２０（贈り物候補決定部２０６）は、特定された被保護者の興味分野に関連する贈り物の候補を決定する（ステップＳ２０）。続いて、紹介情報サーバ装置２０（紹介情報生成部２０７）は、決定された贈り物候補を紹介する紹介情報を生成する（ステップＳ２１）。そして、紹介情報サーバ装置２０（紹介情報出力部２０８）は、生成された紹介情報を、被保護者の親戚に対応する宛先であるユーザ端末３０に対して出力する（ステップＳ２２）。ユーザ端末３０（紹介情報表示部３０２）は、紹介情報サーバ装置２０から出力されてきた紹介情報を受け取ると、その紹介情報を自端末の表示手段に表示する（ステップＳ２３）。
【００６２】
子供のように保護者に保護されている被保護者は、自分のクレジットカード及び電子マネー等を持っておらず、購入履歴が蓄積されていないことが多い。本実施例では、そのような被保護者の興味分野を、保護者の購入履歴に含まれている被保護者のための購入の履歴から特定し、特定した興味分野に関連する贈り物候補を紹介する紹介情報が生成及び出力されている。これにより、被保護者の購入履歴が蓄積されていない場合でも、被保護者の興味分野に合った贈り物の候補を紹介する情報をその親戚に提供することができる。
【００６３】
［２］第２実施例
本発明の第２実施例について、以下、第１実施例と異なる点を中心に説明する。第１実施例では、購入履歴が示す購入の時期及び贈り物を贈る時期に関係なく贈り物候補が決定されたが、第２実施例では、前者の時期から後者の時期までに被保護者が成長する度合いを考慮して贈り物の候補が決定される。
【００６４】
本実施例では、ユーザ端末３０が、贈り物を贈る時期を入力させる贈り物検討画面を表示する。
図１４は第２実施例で表示された贈り物検討画面の一例を表す。図１４の例では、ユーザ端末３０が、図６に表す文字列及びボタンの他に、贈り物を贈る時期を入力させる入力欄Ｂ４を出力装置３６に表示している。この例では、「２０１６／１２／２５」、つまりクリスマスが贈り物の時期として入力されている。紹介要求操作受付部３０１は、入力された時期を示す要求データを紹介情報サーバ装置２０に送信する。
【００６５】
送信された要求データが示す贈り物の時期は、保護者特定部２０１等を経由して贈り物候補決定部２０６に供給される。贈り物候補決定部２０６は、興味分野特定部２０５により特定された興味分野に関連する複数の贈り物候補のうち、被保護者のための購入が行われた時期から贈り物をその被保護者に贈る時期までに経過する期間に応じて異なる贈り物候補を、被保護者への贈り物候補として決定する。この決定方法について、図１５及び図１６を参照して説明する。
【００６６】
図１５は抽出された被保護者の購入履歴の一例を表す。図１５の例では、「木製積み木基本セット」を「２０１４／１２／２２」に購入し、「木製積み木追加セット」を「２０１５／１２／２２」に購入した履歴が被保護者の購入履歴として抽出されている。この場合に、贈り物の贈り手である親戚が「２０１６／１２／２５」を贈り物の時期として選択すると、贈り物は、「木製積み木基本セット」の購入から約１２カ月後、「木製積み木追加セット」の購入から約９カ月後ということになる。贈り物候補決定部２０６は、例えば、各商品の対象年齢を定めた対象年齢データを用いて上記決定を行う。
【００６７】
図１６は対象年齢データの一例を表す。図１６の例では、「木製積み木基本セット」は２歳、「木製積み木追加セット」は３歳から４歳まで、「プラスチック製組立基本セット」は４歳以上、「プラスチック製組立応用セット」は５歳以上が対象年齢となっている。これらはいずれも「ブロックおもちゃ」という興味分野の贈り物候補である。興味分野特定部２０５は、まず、「木製積み木基本セット」の購入日である「２０１４／１２／２２」には、被保護者が関心を持つ商品の対象年齢が「木製積み木基本セット」の対象年齢である２歳であったと推定する。
【００６８】
前述した被保護者が関心を持つと推定される商品の対象年齢のことを以下では「推定対象年齢」という。この推定対象年齢は、被保護者の実年齢であるとは限らない。自分の年齢よりも高い対象年齢の商品に関心を持つ子もいれば、自分の年齢よりも低い対象年齢の商品に関心を持つ子もいるからである。贈り物候補決定部２０６は、「木製積み木追加セット」の購入日における推定対象年齢を２歳と判断したので、「木製積み木追加セット」の購入日である「２０１５／１２／２２」には推定対象年齢が３歳になっていると判断する。
【００６９】
贈り物候補決定部２０６は、その推定対象年齢（３歳）が「木製積み木追加セット」の対象年齢である３歳から４歳までに含まれるので、「木製積み木追加セット」の購入日における推定対象年齢を３歳と判断する。贈り物候補決定部２０６は、入力された贈り物の時期である「２０１６／１２／２５」が、推定対象年齢を２歳と判断した購入日から２年後で且つ推定対象年齢を３歳と判断した購入日から１年後なので、図１６に表すように、贈り物を贈る時期における推定対象年齢を４歳と判断する。
【００７０】
このように、贈り物候補決定部２０６は、過去の購入対象における対象年齢から購入日における推定対象年齢を判断し、全ての購入対象についての推定対象年齢に矛盾がない場合は、それらの推定対象年齢に、各々の購入日から上記の贈り物を贈る時期までに経過する期間を加えた年齢を、その贈り物の時期における推定対象年齢として判断する。
【００７１】
贈り物候補決定部２０６は、「ブロックおもちゃ」という興味分野の贈り物候補のうち、成長した被保護者の推定対象年齢として判断された４歳を対象年齢として含むもの（図１６の例であれば「木製積み木追加セット」及び「プラスチック製組立基本セット」）を、被保護者への贈り物候補として決定する。この例の場合、対象年齢が２歳の「木製積み木基本セット」と対象年齢が５歳以上の「プラスチック製組立応用セット」は贈り物候補に含まれないことになる。
【００７２】
なお、贈り物候補決定部２０６は、複数の推定対象年齢（いずれも購入日における推定対象年齢）に矛盾がある場合は、例えば贈り物の時期における推定対象年齢と購入日における推定対象年齢との差が最も平準化される年齢を贈り物の時期における推定対象年齢として判断する。例えば「木製積み木基本セット」の購入日時が「２０１２／１２／２２」で「木製積み木追加セット」の購入日時が「２０１５／１２／２２」であったとする。「２０１２／１２／２２」における推定対象年齢が「木製積み木基本セット」の対象年齢である２歳と判断すると「２０１５／１２／２２」には推定対象年齢が５歳になるが、「２０１５／１２／２２」における推定対象年齢は「木製積み木追加セット」の対象年齢である３歳又は４歳であるから、推定対象年齢が矛盾していることになる。
【００７３】
この場合、贈り物候補決定部２０６は、「２０１２／１２／２２」における推定対象年齢を１．５歳、「２０１５／１２／２２」における推定対象年齢を４．５歳と判断する。すると、贈り物の時期における推定対象年齢との差がどちらも０．５歳になるので、上記の平準化がなされたことになる。贈り物候補決定部２０６は、このように判断した推定対象年齢から、贈り物を贈る時期（２０１６／１２／２２）における推定対象年齢を５．５歳と判断し、対象年齢に５．５歳を含む「プラスチック製組立基本セット」及び「プラスチック製組立応用セット」を贈り物候補として決定する。
【００７４】
また、贈り物候補決定部２０６は、商品カテゴリ毎に異なる推定対象年齢を判断してもよい。贈り物候補決定部２０６は、例えば、「絵本」というカテゴリの商品の購入履歴からそのカテゴリの商品を購入する場合の購入日における推定対象年齢は５歳と判断し、「おもちゃ」というカテゴリの商品の購入履歴からそのカテゴリの商品を購入する場合の購入日における推定対象年齢は４歳と判断する、という具合である。これにより、被保護者の発育の程度が分野毎（読み書きの分野及び手先の器用さの分野等）に異なる場合でも、推定対象年齢を一律に判断する場合に比べて、それぞれの分野に関連する商品の推定対象年齢をより適切に判断することができる。
【００７５】
こうして決定された贈り物の候補を紹介する紹介情報を紹介情報生成部２０７が生成することで、紹介情報出力部２０８は、被保護者のための購入が行われた時期から贈り物をその被保護者に贈る時期までに経過する期間に応じて異なる候補を紹介する情報を紹介情報として出力する。これにより、成長が早い子供に贈り物を贈る場合でも、贈り物を受け取るときに関心を持つ商品の対象年齢に合った贈り物候補を親戚に紹介することができる。
【００７６】
なお、図１６の例において、「木製積み木追加セット」及び「プラスチック製組立基本セット」を被保護者への贈り物候補として決定しているが、「木製積み木追加セット」は既に保護者によって購入されている。このように、興味分野特定部２０５により特定された興味分野に関連する商品が、被保護者履歴抽出部２０４により抽出された購入履歴が示す購入すなわち被保護者のために購入された商品に含まれている場合、紹介情報出力部２０８は、その商品を除く贈り物の候補を紹介する情報を紹介情報として出力してもよい。これにより、既に購入されて被保護者が持っている商品が贈り物候補に含められ、その商品が贈られることを防ぐことができる。
【００７７】
また、購入済みの商品だけでなく、購入済みのサービスが購入履歴に含まれている場合も、紹介情報出力部２０８は、そのサービスを除く贈り物の候補を紹介する情報を紹介情報として出力してもよい。例えばキャラクターαの映画のチケットが既に購入されていれば、紹介情報出力部２０８は、そのチケットを含まない贈り物の候補を紹介する情報を紹介情報として出力する。これにより、既に購入されて被保護者が体験済みのサービスが贈り物候補に含められ、そのサービスを受けるためのチケット等が贈られることを防ぐことができる。
【００７８】
［３］第３実施例
本発明の第３実施例について、以下、上記の各実施例と異なる点を中心に説明する。上記の各実施例では、購入履歴が保護者関連情報として取得されたが、第３実施例では、それ以外の情報が保護者関連情報として取得される。
【００７９】
図１７は第３実施例の贈り物情報紹介システム１ａが実現する機能構成を表す。贈り物情報紹介システム１ａは、紹介情報サーバ装置２０ａと、ユーザ端末３０と、保護者端末４０とを備える。保護者端末４０は、保護者が利用する可搬型のユーザ端末であり、図３に表すユーザ端末３０と同様のハードウェア構成を備えている。紹介情報サーバ装置２０ａは、図４に表す被保護者履歴抽出部２０４の代わりに被保護者関連施設検出部２１１を備える。保護者端末４０は、位置情報送信部４０１を備える。
【００８０】
保護者端末４０には、自端末を利用する保護者のユーザＩＤが予め記憶されている。位置情報送信部４０１は、自端末の位置を定期的に測定し、測定した位置を示す位置情報（例えば緯度・経度を示す情報）を、自端末に記憶されている保護者のユーザＩＤとともに紹介情報サーバ装置２０ａに送信する。保護者関連情報取得部２０３は、送信されてきた位置情報、すなわち保護者が所持する可搬型の端末（保護者端末４０）の位置情報を保護者関連情報として取得する。
【００８１】
保護者関連情報取得部２０３は、定期的に送信されてくる位置情報を、ともに送信されてくる保護者のユーザＩＤに対応付けて記憶しておく。そして、保護者特定部２０１から特定された保護者のユーザＩＤが供給されると、そのユーザＩＤに対応付けて記憶していた複数の位置情報を読み出して、被保護者関連施設検出部２１１に供給する。これら複数の位置情報は、保護者が訪れた場所の履歴を示している。
【００８２】
被保護者関連施設検出部２１１は、保護者関連情報取得部２０３により取得された保護者関連情報が示す保護者端末４０の位置に基づいて、その保護者が保護する被保護者が訪れた施設を検出する。被保護者関連施設検出部２１１は、例えば保護者が被保護者を連れて訪れそうな施設名とその施設の位置（緯度・経度）とを対応付けた施設テーブルを用いてこの検出を行う。
【００８３】
図１８は施設テーブルの一例を表す。図１８の例では、「河川敷野球場」、「市営プール」及び「ピアノ教室」等の施設名に、「ｘｘｘｘ１、ｙｙｙｙ１」等の緯度及び経度で表された施設位置が対応付けられている。被保護者関連施設検出部２１１は、供給された各位置情報が示す位置の中に、各施設位置との距離が閾値以下となる位置が含まれているか否かを判断する。閾値としては、施設が大きいほど大きな値が用いられる（例えば野球場だと１００ｍ、プールだと３０ｍ、ピアノ教室だと１０ｍなど）。
【００８４】
被保護者関連施設検出部２１１は、閾値以下となる位置が含まれていれば、その施設を被保護者が訪れた施設として検出する。被保護者関連施設検出部２１１は、こうして検出した施設の施設名を興味分野特定部２０５に供給する。興味分野特定部２０５は、被保護者関連施設検出部２１１により検出された施設、すなわち、保護者関連情報取得部２０３により取得された保護者関連情報が示す保護者端末４０の位置によって示される被保護者が訪れた施設に基づいて興味分野を特定する。
【００８５】
興味分野特定部２０５は、施設名と興味分野とを対応付けた興味分野テーブルを用いてこの特定を行う。
図１９は第３実施例の興味分野テーブルの一例を表す。図１９の例では、「河川敷野球場」、「市営プール」及び「駅前ピアノ教室」という施設名に、「野球」、「水泳」、「鍵楽器」という興味分野が対応付けられている。
【００８６】
興味分野特定部２０５は、例えば「河川敷野球場」が被保護者の訪れた施設として検出された場合、興味分野テーブルで「河川敷野球場」に対応付けられた「野球」という興味分野を被保護者の興味分野として特定する。なお、本実施例でも、「河川敷野球場」の検出回数が閾値以上である場合に「野球」という興味分野が特定されてもよい。本実施例によれば、保護者が位置情報を送信する機能を有するユーザ端末を所持していれば、保護者の購入履歴が得られなくても、被保護者への贈り物の紹介情報を出力及び表示することができる。
【００８７】
［４］第４実施例
本発明の第４実施例について、以下、上記の各実施例と異なる点を中心に説明する。上述した贈り物の貰い手である子供（被保護者）と贈り手である親戚とは一緒に住んでいないことが多いが、親戚であるため会う機会があることも多い。第４実施例では、両者がどの程度会うかによって紹介する贈り物を異ならせる。
【００８８】
図２０は第４実施例の贈り物情報紹介システム１ｂが実現する機能構成を表す。贈り物情報紹介システム１ｂは、紹介情報サーバ装置２０ｂと、ユーザ端末３０ｂと、保護者端末４０とを備える。紹介情報サーバ装置２０ｂは、図１７に表す各部に加えて対面頻度判断部２１２を備える。ユーザ端末３０ｂは、図４に表す各部に加えて位置情報送信部３０３を備える。
【００８９】
図２０の例では、保護者端末４０の位置情報送信部４０１、紹介情報サーバ装置２０ｂの保護者関連情報取得部２０３、被保護者関連施設検出部２１１及び興味分野特定部２０５が第３実施例と同様に動作して、被保護者が訪れた施設に基づいて興味分野が特定される。その際に、保護者関連情報取得部２０３は、保護者端末４０の位置情報を保護者関連情報として取得している。
【００９０】
第４実施例では、それに加え、保護者関連情報取得部２０３が、贈り物の贈り手である親戚が貰い手である被保護者を保護する保護者に会う頻度を示す対面頻度情報を保護者関連情報として取得する。保護者関連情報取得部２０３は、例えば、保護者の居住地と親戚の居住地との距離を示す情報である居住地間の距離情報を対面頻度情報として取得する。居住地間の距離が長いほど、親戚が保護者に会う頻度が少なくなるから、居住地間の距離情報は親戚と保護者の対面頻度を示すことになる。
【００９１】
ユーザ端末３０ｂの位置情報送信部３０３は、自端末の位置を定期的に測定し、測定した位置を示す位置情報を、自端末に記憶されている親戚のユーザＩＤ及び測定時刻とともに紹介情報サーバ装置２０ｂに送信する。また、保護者端末４０の位置情報送信部４０１も、位置情報を保護者のユーザＩＤ及び測定時刻とともに紹介情報サーバ装置２０ｂに送信する。
【００９２】
本実施例では、保護者特定部２０１が、特定した保護者のユーザＩＤと、紹介情報の要求データが示す親戚のユーザＩＤとを保護者関連情報取得部２０３に供給する。保護者関連情報取得部２０３は、それらのユーザＩＤとともに送信されてきた位置情報及び測定時刻を、ユーザ端末３０ｂ及び保護者端末４０から送信されてきた位置情報、ユーザＩＤ及び測定時刻として取得する。
【００９３】
例えばユーザ端末の夜間又は早朝における位置情報は、そのユーザ端末を利用するユーザ（親戚又は保護者）の居住地の位置を示すことになるから、両端末（ユーザ端末３０ｂ及び保護者端末４０）の位置情報及び測定時刻は、保護者の居住地と親戚の居住地との距離を示すことになる。従って、保護者関連情報取得部２０３は、これらの位置情報及び測定時刻を居住地間の距離情報として取得する。保護者関連情報取得部２０３は、取得した居住地間の距離情報（両端末の位置情報）を対面頻度判断部２１２に供給する。
【００９４】
対面頻度判断部２１２は、供給された居住地間の距離情報に基づいて、被保護者と親戚とが対面する頻度（対面頻度）を判断する。対面頻度判断部２１２は、まず、居住地間の距離情報が示すユーザ端末３０ｂ及び保護者端末４０の位置情報のうち特定の時刻（例えば早朝の時刻）に測定された位置情報が示す位置を、保護者の居住地及び親戚の居住地の位置として特定し、特定したそれらの位置の間の距離を居住地間距離として算出する。
【００９５】
対面頻度判断部２１２は、居住地間距離と対面頻度とを対応付けた対面頻度テーブルを用いて上記取得を行う。
図２１は対面頻度テーブルの一例を表す。図２１の例では、「２０ｋｍ未満」という居住地間距離に「１月に１回」という対面頻度が対応付けられている。同様に、「２０ｋｍ以上１００ｋｍ未満」、「１００ｋｍ以上３００ｋｍ未満」、「３００ｋｍ以上」という居住地間距離に、「３カ月に１回」、「半年に１回」、「１年に１回」という対面頻度が対応付けられている。
【００９６】
対面頻度判断部２１２は、算出した居住地間距離に対応付けられている対面頻度を、被保護者及び親戚の対面頻度として判断する。対面頻度判断部２１２は、こうして判断した対面頻度を贈り物候補決定部２０６に供給する。贈り物候補決定部２０６は、興味分野特定部２０５により特定された被保護者の興味分野に関連する贈り物の候補のうち、対面頻度判断部２１２により判断された対面頻度に応じた価格帯の商品又はサービスを贈り物候補として決定する。
【００９７】
贈り物候補決定部２０６は、対面頻度と価格帯とを対応付けた価格帯テーブルを用いて贈り物の価格帯を判断する。
図２２は価格帯テーブルの一例を表す。図２２の例では、「１月に１回」という対面頻度に「２千円未満」という価格帯が対応付けられている。同様に、「３カ月に１回」、「半年に１回」、「１年に１回」という対面頻度に、「２千円以上５千円未満」、「５千円以上１万円未満」、「１万円以上」という価格帯が対応付けられている。贈り物候補決定部２０６は、対面頻度判断部２１２から供給された対面頻度に価格帯テーブルで対応付けられている価格帯を、贈り物の価格帯として読み出す。
【００９８】
また、贈り物候補決定部２０６は、例えば図１１に表す贈り物候補テーブルに贈り物候補として含まれている商品及びサービスのうち興味分野特定部２０５により特定された被保護者の興味分野に対応付けられているものを読み出す。贈り物候補決定部２０６は、読み出した商品又はサービスの価格を例えばインターネットで検索し、検索した価格のうちの最低価格（平均価格や価格の中間値でもよい）が読み出した贈り物の価格帯に含まれている場合、その商品又はサービスを贈り物候補として決定する。
【００９９】
こうして決定された贈り物の候補を紹介する紹介情報を紹介情報生成部２０７が生成することで、紹介情報出力部２０８は、保護者関連情報取得部２０３により取得された保護者関連情報が示す対面頻度に応じた価格帯の商品又はサービスに関する情報を紹介情報として出力する。具体的には、紹介情報出力部２０８は、対面頻度が多いほど低い価格帯の商品又はサービスに関する情報を紹介情報として出力する。
【０１００】
親戚が子供に贈り物を渡す場合、子供の保護者にも会うことが普通であるから、保護者との対面頻度が多いということは、子供に贈り物を贈ることができる機会も多いということである。そのように贈り物を贈る機会が多い親戚は、１回当たりの贈り物の価格を下げないと金銭的な負担が大きくなる。
【０１０１】
一方、子供との対面頻度が少ない親戚は、贈り物を贈ることができる機会が少ないので、１回当たりの価格を上げても金銭的な負担はそれほど大きくならない。本実施例では、対面頻度が多い親戚ほど低い価格帯の商品又はサービスが贈り物候補として紹介されるので、対面頻度と価格帯を考慮せずに贈り物候補が紹介される場合に比べて、対面頻度が多い親戚の金銭的な負担を抑えることができる。
【０１０２】
なお、保護者関連情報取得部２０３が取得する居住地間の距離情報は、上記の情報（ユーザ端末３０ｂ及び保護者端末４０の位置情報及び測定時刻）に限らない。例えば保護者関連情報取得部２０３が、保護者と親戚が住所を登録している外部システムからそれらの住所情報を居住地間の距離情報として取得してもよい。また、親戚が紹介情報を要求する操作を行う際に自分と保護者の住所を入力することで、保護者関連情報取得部２０３が入力された両者の住所情報を居住地間の距離情報として取得してもよい。
【０１０３】
また、親戚が保護者に会う頻度を示す対面頻度情報は、居住地間の距離情報に限らない。例えば、親戚が紹介情報を要求する操作を行う際に保護者との対面頻度を入力することで、保護者関連情報取得部２０３が入力された情報を対面頻度情報として取得してもよい。また、ユーザ端末３０ｂ及び保護者端末４０の位置情報及び測定時刻を、居住地間の距離情報としてではなく、より単純に対面頻度情報として用いてもよい。
【０１０４】
その場合、対面頻度判断部２１２は、例えば測定時刻が近い（例えば時刻の違いが数分以内の）両端末の位置情報から、端末間の距離を算出し、算出した距離が閾値（例えば数ｍ）以下であれば、その測定時刻を含む日に親戚と保護者が対面したと判断する。対面頻度判断部２１２は、そうして一定期間内に親戚と保護者が対面した日数をカウントし、対面頻度を判断する。
【０１０５】
また、保護者又は親戚がスケジュール機能を利用している場合に、その機能で入力された予定情報を対面頻度情報として用いてもよい。その場合、対面頻度判断部２１２は、例えば保護者の予定情報が示すスケジュールに親戚の名前が含まれていれば、その日を対面日としてカウントし、対面頻度を判断する。なお、親戚の名前だけでなく、「家」及び「訪問」等の単語も含まれている場合に対面日とカウントしてもよい。
【０１０６】
以上のとおり、親戚が保護者に会う頻度を示す情報であれば、どのような情報が保護者関連情報（対面頻度情報）として取得されてもよい。なお、本実施例では、居住地間の距離情報が対面頻度情報として取得されることで、例えば親戚自身も自分が保護者と対面する頻度を覚えていない場合でも、対面頻度に応じた価格帯の贈り物候補を紹介することができる。
【０１０７】
［５］変形例
上述した各実施例はそれぞれが本発明の実施の一例に過ぎず、以下のように変形させてもよい。また、各実施例及び各変形例は、必要に応じて組み合わせて実施してもよい。
【０１０８】
［５−１］紹介タイミング
上記の各例では、親戚が紹介情報を要求したタイミングで紹介情報が出力されて贈り物候補が紹介されたが、贈り物候補の紹介タイミングはこれに限らない。例えば、定期的に訪れるタイミングで紹介されてもよいし、クリスマス、正月及びお盆等の一般的なイベントを前にしたタイミングで紹介されてもよい。
【０１０９】
また、子供の誕生日又は年齢が贈り物情報紹介システムに登録されている場合に、誕生日、入学及び卒業等の個人的なイベントを前にしたタイミングで紹介されてもよい。本変形例では、例えば紹介情報サーバ装置に親戚のユーザＩＤが記憶されており、保護者特定部２０１がこれらのタイミングが訪れたときに親戚のユーザＩＤを読み出して保護者を特定する。これにより、紹介情報出力部２０８が、上記のタイミングで紹介情報を出力することになる。
【０１１０】
［５−２］対面頻度に応じたタイミング
第４実施例において、贈り物候補を親戚に紹介するタイミングが対面頻度（親戚が保護者に会う頻度）に応じて異なっていてもよい。本変形例では、例えば、対面頻度と紹介タイミングとが対応付けられた紹介タイミングテーブルが用いられる。
【０１１１】
図２３は紹介タイミングテーブルの一例を表す。図２３の例では、「１月に１回」という対面頻度に、「毎月」という紹介タイミングが対応付けられている。同様に、「３カ月に１回」、「半年に１回」、「１年に１回」という対面頻度に、「春休み、冬休み、夏休み、ＧＷ（Golden Week）前、ＳＷ（Silver Week）前」、「春休み、冬休み、夏休み」、「対面時期の１月前」という紹介タイミングがそれぞれ対応付けられている。
【０１１２】
本変形例では、上述した例のように保護者特定部２０１がこれらのタイミングが訪れたときに親戚のユーザＩＤを読み出して保護者を特定する。また、紹介タイミングが「対面時期の１月前」である場合は、例えば第４実施例で説明したように対面頻度判断部２１２が親戚と保護者が対面した日を判断し、前年の対面日から１１か月経過したタイミングで、保護者特定部２０１が保護者を特定する。
【０１１３】
こうして本変形例では、保護者関連情報取得部２０３が対面頻度情報を保護者関連情報として取得し、紹介情報出力部２０８が、取得された対面頻度情報が示す対面頻度に応じたタイミングで紹介情報を出力する。図２３の例では、紹介情報出力部２０８は、対面頻度が少なくなるほど、少ないタイミングで紹介情報を出力している。これにより、贈り物を贈る機会が少ないのに紹介情報がいくつも届いてしまい不満に思われる可能性を少なくすることができる。
【０１１４】
［５−３］贈り物候補の価格帯１
第４実施例では、贈り物候補決定部２０６が贈り物候補の価格帯を判断したが、価格帯の判断方法は上述した方法に限らない。
図２４は本変形例の贈り物情報紹介システム１ｃが実現する機能構成を表す。贈り物情報紹介システム１ｃは、購入履歴蓄積装置１０と、紹介情報サーバ装置２０ｃと、ユーザ端末３０とを備える。紹介情報サーバ装置２０ｃは、図４に表す各部に加えて資産規模情報取得部２１３を備える。
【０１１５】
資産規模情報取得部２１３は、贈り物の贈り手である親戚の資産規模を示す資産規模情報を取得する。資産規模情報取得部２１３は本発明の「規模情報取得部」の一例である。資産規模情報取得部２１３は、例えば、親戚が贈り物情報紹介システム１に自分の情報を登録する際に入力した実際の個人資産の情報を、資産規模情報として取得する。なお、資産規模情報取得部２１３は、口座情報、住宅情報、（戸建、集合住宅、間取り、居住地域等）、保険情報等を物理的にも契約的にも取得可能であれば、それらの情報を資産規模情報として取得してもよい。資産規模が多い親戚ほど口座額が高くなり、住宅の規模が大きくなり、保険の補償範囲が広くなる傾向にあるからである。
【０１１６】
また、資産規模情報取得部２１３は、親戚が毎月支払っている料金（通信料金、クレジットカード・電子マネーの支払い料金、家賃及び駐車場料金等）を物理的にも契約的にも取得可能であれば、その月々の料金を資産規模情報として取得してもよい。資産規模が多く金銭的に余裕がある親戚ほど月々の支払い料金が高くなる傾向にあるからである。これらの料金は、購入履歴蓄積装置１０に蓄積されている購入履歴から取得されてもよい。資産規模情報取得部２１３は、取得した資産規模情報を贈り物候補決定部２０６に供給する。
【０１１７】
贈り物候補決定部２０６は、興味分野特定部２０５により特定された被保護者の興味分野に関連する贈り物の候補のうち、資産規模情報取得部２１３により取得された資産規模情報が示す資産規模に応じた価格帯の商品又はサービスを贈り物候補として決定する。贈り物候補決定部２０６は、資産規模と価格帯とを対応付けた価格帯テーブルを用いて贈り物の価格帯を判断する。
【０１１８】
図２５は本変形例の価格帯テーブルの一例を表す。図２５の例では、「大」という資産規模に「１万円以上」という価格帯が対応付けられている。同様に、「中」、「小」という対面頻度に、「５千円以上１万円未満」、「５千円未満」という価格帯が対応付けられている。資産規模は、例えば資産規模情報が第１閾値未満なら「小」、第１閾値以上第２閾値未満なら「中」、第２閾値以上なら「大」となる。
【０１１９】
これらの閾値は、例えば親戚が入力した実際の個人資産であれば、数百万円から数千万円という単位となり、毎月の通信料金及び駐車場料金であれば数千円から数万円という単位、家賃、電子マネー及びクレジットカードの支払い料金であれば数万円から数十万円という単位となる。贈り物候補決定部２０６は、資産規模情報取得部２１３から供給された資産規模情報が示す資産規模に価格帯テーブルで対応付けられている価格帯を、贈り物の価格帯として読み出す。
【０１２０】
贈り物候補決定部２０６は、後は、図２２の説明で述べたように、読み出した価格帯、すなわち資産規模に応じた価格帯の商品又はサービスを贈り物候補として決定する。こうして決定された贈り物の候補を紹介する紹介情報を紹介情報生成部２０７が生成することで、紹介情報出力部２０８は、保護者関連情報取得部２０３により取得された保護者関連情報が示す親戚の資産規模に応じた価格帯の商品又はサービスに関する情報を紹介情報として出力する。
【０１２１】
具体的には、紹介情報出力部２０８は、資産規模が少ないほど低い価格帯の商品又はサービスに関する情報を紹介情報として出力する。これにより、親戚の資産規模を考慮せずに贈り物候補が紹介される場合に比べて、金銭的な余裕が少ない親戚に対しては金銭的な負担が少ない贈り物候補を紹介することができる。
【０１２２】
［５−４］贈り物候補の価格帯２
贈り物候補の価格帯の判断方法は上述したものに限らない。例えば、保護者の経済力に合わせた価格帯が判断されてもよい。
図２６は本変形例の贈り物情報紹介システム１ｄが実現する機能構成を表す。贈り物情報紹介システム１ｄは、購入履歴蓄積装置１０と、紹介情報サーバ装置２０ｄと、ユーザ端末３０とを備える。紹介情報サーバ装置２０ｄは、図４に表す各部に加えて保護者経済力判断部２１４を備える。
【０１２３】
本変形例では、第１実施例と同様に、保護者関連情報取得部２０３が、保護者の購入履歴を保護者関連情報として取得して、取得した購入履歴を保護者経済力判断部２１４に供給する。保護者経済力判断部２１４は、保護者関連情報取得部２０３により取得された保護者関連情報（購入履歴）が示す保護者の経済力を判断する。保護者経済力判断部２１４は、月当たりの購入金額合計と経済力とを対応付けた経済力テーブルを用いてこの判断を行う。
【０１２４】
図２７は経済力テーブルの一例を表す。図２７の例では、「１０万円未満」という月当たりの購入金額合計に「弱」という経済力が対応付けられている。同様に、「１０万円以上２０万円未満」、「２０万円以上」という月当たりの購入金額合計に、「中」、「強」という経済力が対応付けられている。保護者経済力判断部２１４は、取得した保護者の購入履歴から月当たりの購入金額合計を算出し、算出した金額に経済力テーブルにおいて対応付けられている経済力を、保護者の経済力として判断する。保護者経済力判断部２１４は、こうして判断した保護者の経済力を贈り物候補決定部２０６に供給する。
【０１２５】
贈り物候補決定部２０６は、興味分野特定部２０５により特定された被保護者の興味分野に関連する贈り物の候補のうち、保護者経済力判断部２１４により判断された保護者の経済力に応じた価格帯の商品又はサービスを贈り物候補として決定する。贈り物候補決定部２０６は、保護者の経済力と価格帯とを対応付けた価格帯テーブルを用いて贈り物の価格帯を判断する。
【０１２６】
図２８は本変形例の価格帯テーブルの一例を表す。図２８の例では、「弱」という保護者の経済力に「５千円未満」という価格帯が対応付けられている。同様に、「中」、「強」という保護者の経済力に、「５千円以上１万円未満」、「１万円以上」という価格帯が対応付けられている。贈り物候補決定部２０６は、保護者経済力判断部２１４から供給された保護者の経済力に価格帯テーブルで対応付けられている価格帯を、贈り物の価格帯として読み出す。贈り物候補決定部２０６は、第４実施例で述べたように、読み出した贈り物の価格帯に含まれている商品又はサービスを贈り物候補として決定する。
【０１２７】
こうして決定された贈り物の候補を紹介する紹介情報を紹介情報生成部２０７が生成することで、紹介情報出力部２０８は、保護者関連情報取得部２０３により取得された保護者関連情報が示す保護者の経済力に応じた価格帯の商品又はサービスに関する情報を紹介情報として出力する。具体的には、紹介情報出力部２０８は、保護者の経済力が強いほど高い価格帯の商品又はサービスに関する情報を紹介情報として出力する。
【０１２８】
保護者の経済力が弱くなるほど、普段子供に買い与えるものの価格帯が低くなるから、価格帯が低い贈り物であっても子供が満足しやすくなる。本変形例では、保護者の経済力が弱いほど低い価格帯の商品又はサービスが贈り物候補として紹介されるので、保護者の経済力と価格帯を考慮せずに贈り物候補が紹介される場合に比べて、親戚の金銭的な負担を抑えることができる。
【０１２９】
［５−５］被保護者が関心を持つ対象
上記の各例では、被保護者が関心を持つ対象として被保護者の興味分野が特定されたが、これに限らず、他の対象が特定されてもよい。
図２９は本変形例の贈り物情報紹介システム１ｅが実現する機能構成を表す。贈り物情報紹介システム１ｅは、購入履歴蓄積装置１０と、紹介情報サーバ装置２０ｅと、ユーザ端末３０とを備える。紹介情報サーバ装置２０ｅは、図４に表す各部に加えて好み特定部２１５を備える。
【０１３０】
被保護者履歴抽出部２０４は、抽出した被保護者の購入履歴を興味分野特定部２０５に加えて好み特定部２１５にも供給する。好み特定部２１５は、保護者関連情報取得部２０３により取得された保護者関連情報に基づいて、その保護者関連情報が関連する保護者が保護する被保護者の好みを特定する。被保護者の好みは、興味分野と同様に、被保護者が関心を持つ対象の１つである。つまり、好み特定部２１５は、被保護者が関心を持つ対象を特定する機能でもあり、本発明の「特定部」の一例である。
【０１３１】
好み特定部２１５は、例えば抽出された被保護者の購入履歴が示す商品名に色の名称が含まれている場合、その色を被保護者が好む色として特定する。なお、色の名称を含む商品が多数ある場合は、好み特定部２１５は、最も多く含まれている色を被保護者が好む色として特定する。また、好み特定部２１５は、例えば被保護者の購入履歴が示すおやつの中で最も購入回数が多い商品を被保護者が好むおやつとして特定する。好み特定部２１５は、おやつに限らず他の商品カテゴリについても同様に好みの商品を特定する。なお、好み特定部２１５は、これら以外にも、ユーザの好みを分析して特定する周知技術を用いて被保護者の好みを特定してもよい。
【０１３２】
贈り物候補決定部２０６は、興味分野特定部２０５により特定された被保護者の興味分野と、好み特定部２１５により特定された被保護者の好みとに関連する贈り物の候補を決定する。例えば特定された興味分野に関連する贈り物候補が「水泳キャップ」で特定された好みが「赤色」である場合、贈り物候補決定部２０６は「赤い水泳キャップ」を贈り物候補として決定する。
【０１３３】
なお、特定された興味分野と特定された好みの両方に関連する贈り物候補が常にあるとは限らない。その場合、贈り物候補決定部２０６は、例えば興味分野及び好みのうち予め決められている方にだけ関連する贈り物候補を決定するか、又はそれぞれに関連する２つの贈り物候補を決定すればよい。被保護者の好みにだけ関連する贈り物候補の決定は、例えば好みと贈り物候補とを対応付けたテーブルを用いて図１１で述べた例のように行われればよい。
【０１３４】
また、好みの特定方法は、被保護者の購入履歴を用いた方法に限らない。好み特定部２１５は、例えば図１７に表す被保護者関連施設検出部２１１により検出された被保護者が訪れた施設に基づいて被保護者の好みを特定してもよい。好み特定部２１５は、例えばカレー専門店が検出された場合はカレーが好みだと特定し、公園が検出された場合は公園で遊ぶことが好みだと特定する。
【０１３５】
また、被保護者が関心を持つ対象として、興味分野及び好み以外にも、例えば被保護者の趣味又は嗜好が用いられてもよい。それらのうちのどれが用いられたとしても、特定された対象に関連する贈り物候補は、その対象に関連しない贈り物候補に比べて被保護者の関心を得やすい。従って、贈り物候補が紹介された親戚は、被保護者に喜んでもらいやすい贈り物を贈ることができる。
【０１３６】
［５−６］贈り物
贈り物は、商品及びサービスのように購入するものに限らず、上述したように、贈り手である親戚が自分で持っている物及び手作りした物等であってもよい。その場合、例えば非売品又は絶版品を示す紹介情報が生成されてもよいし、手作りの贈り物の作り方を紹介したウェブサイトを示す紹介情報が生成されてもよい。
【０１３７】
［５−７］被保護者・保護者・親戚
上記の各例では、親（実親、養親）、すなわち親権者が保護者であったが、これに限定されず、後見人及び監護者等であってもよい。要するに、被保護者とともに生活して面倒を見ている者であればよい。
【０１３８】
また、被保護者にとっての親戚とは、その被保護者と血縁及び／又は婚姻で生じた関係によって繋がっている人々のことである（ただし被保護者の保護者及び被保護者の兄弟・姉妹を除く）。贈り物情報紹介システムにおいては、図４に表す親戚関係記憶部２０２が記憶している親戚関係情報において親戚関係にあると示されている者同士が親戚と判断される。
【０１３９】
［５−８］各部を実現する装置
図４等に表す各部を実現する装置は、上述した装置だけに限らない。例えば購入履歴蓄積装置１０が備える購入履歴に関する機能を紹介情報サーバ装置２０が実現してもよい。また、親戚が紹介情報を要求する際に保護者を指定する操作を行うようにすれば、紹介情報サーバ装置２０が保護者特定部２０１を備えていなくてもよい。また、紹介情報サーバ装置２０が備える機能の一部を他の情報処理装置が実現してもよい。要するに、贈り物情報紹介システム１が備える装置が全体として、図４等に表す各部を実現していればよい。
【０１４０】
［５−９］発明のカテゴリ
本発明は、購入履歴蓄積装置１０、紹介情報サーバ装置、ユーザ端末及び保護者端末のような情報処理装置の他、それらの装置を備える贈り物情報紹介システムのような情報処理システムとしても捉えられる。また、本発明は、各装置が実施する処理を実現するための情報処理方法としても捉えられるし、各装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【０１４１】
［５−１０］処理手順等
本明細書で説明した各実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１４２】
［５−１１］入出力された情報等の扱い
入出力された情報等は特定の場所(例えばメモリ)に保存されてもよいし、管理テーブルで管理してもよい。入出力される情報等は、上書き、更新、又は追記され得る。出力された情報等は削除されてもよい。入力された情報等は他の装置へ送信されてもよい。
【０１４３】
［５−１２］ソフトウェア
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１４４】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１４５】
［５−１３］情報、信号
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１４６】
［５−１４］システム、ネットワーク
本明細書で使用する「システム」及び「ネットワーク」という用語は、互換的に使用される。
【０１４７】
［５−１５］「に基づいて」の意味
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１４８】
［５−１６］「及び」、「又は」
本明細書において、「Ａ及びＢ」でも「Ａ又はＢ」でも実施可能な構成については、一方の表現で記載された構成を、他方の表現で記載された構成として用いてもよい。例えば「Ａ及びＢ」と記載されている場合、他の記載との不整合が生じず実施可能であれば、「Ａ又はＢ」として用いてもよい。
【０１４９】
［５−１７］態様のバリエーション等
本明細書で説明した各実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１５０】
以上、本発明について詳細に説明したが、当業者にとっては、本発明が本明細書中に説明した実施例に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１５１】
１…贈り物情報紹介システム、２…ネットワーク、１０…購入履歴蓄積装置、１０１…購入履歴取得部、１０２…購入履歴蓄積部、２０…紹介情報サーバ装置、２０１…保護者特定部、２０２…親戚関係記憶部、２０３…保護者関連情報取得部、２０４…被保護者履歴抽出部、２０５…興味分野特定部、２０６…贈り物候補決定部、２０７…紹介情報生成部、２０８…紹介情報出力部、２１１…被保護者関連施設検出部、２１２…対面頻度判断部、２１３…資産規模情報取得部、２１４…保護者経済力判断部、２１５…好み特定部、３０…ユーザ端末、３０１…紹介要求操作受付部、３０２…紹介情報表示部、３０３、４０１…位置情報送信部。
【図１】
2018097584.tif 000003
【図２】
2018097584.tif 000004
【図３】
2018097584.tif 000005
【図４】
2018097584.tif 000006
【図５】
2018097584.tif 000007
【図６】
2018097584.tif 000008
【図７】
2018097584.tif 000009
【図８】
2018097584.tif 000010
【図９】
2018097584.tif 000011
【図１０】
2018097584.tif 000012
【図１１】
2018097584.tif 000013
【図１２】
2018097584.tif 000014
【図１３】
2018097584.tif 000015
【図１４】
2018097584.tif 000016
【図１５】
2018097584.tif 000017
【図１６】
2018097584.tif 000018
【図１７】
2018097584.tif 000019
【図１８】
2018097584.tif 000020
【図１９】
2018097584.tif 000021
【図２０】
2018097584.tif 000022
【図２１】
2018097584.tif 000023
【図２２】
2018097584.tif 000024
【図２３】
2018097584.tif 000025
【図２４】
2018097584.tif 000026
【図２５】
2018097584.tif 000027
【図２６】
2018097584.tif 000028
【図２７】
2018097584.tif 000029
【図２８】
2018097584.tif 000030
【図２９】
2018097584.tif 000031